(57)【要約】      （修正有）【課題】特に改善された流れ特性をもつ縦溝付きフィルター媒体を提供する。【解決手段】縦溝付きフィルター媒体100は、多数の先細りの縦溝の室102を含んでいる。縦溝の室102は、対向するシート110間で山部104と谷部とを交互に形成している中央の縦溝シート108によって形成されており、この対向するシート110は、第１の対向シート112と第２の対向シート114とよりなる。谷部と山部104とは、縦溝102を上部列と下部列とに分けている。上部縦溝は、下流端部で閉鎖された縦溝の室122を形成する一方で、上流端部が閉鎖された縦溝の室120は、縦溝の室の下部列である。縦溝の室120は、中央の縦溝シート108と第２の対向シート114との間の縦溝の上流端部の断面を完全に充填している第１の端部ビード124によって閉鎖されている。【選択図】図１
2008302360.tif 000002
【特許請求の範囲】
【請求項１】
フィルタ構造を製造する方法であって、
（ａ）先細りの幅の歯を有する一対の波形のローラの間を媒体が通過することによって波形の媒体を形成する工程であって、前記一対の波形のローラの一方の第１のローラは、前記一対の波形のローラの他方の第２のローラとは互いに長手方向に異なるように先細りされており、
（ｉ）上流縁と下流縁を有する波形のフィルタ媒体であって、前記波形のフィルタ媒体は、丸い頂部と丸い細長いくぼみが交互に形成され、
（Ａ）前記波形のフィルタ媒体の一方の面の上で区切られた流路の第１セットであって、前記第１セットの前記流路の夫々は、前記上流縁と前記下流縁との間で前記波形のフィルタ媒体を概ね横切るように長手方向に延設され、かつその下流端で閉口され、
（Ｂ）前記波形のフィルタ媒体の他方の面の上で区切られた流路の第２セットであって、前記第２セットの前記流路の夫々は、前記上流縁と前記下流縁との間で前記波形のフィルタ媒体を概ね横切るように長手方向に延設され、かつその下流端で閉口され、
（ｉｉ）前記第１セットの前記流路の夫々は幅が、長手方向に延設される方向に前記上流縁に隣接した位置から前記下流縁に隣接した位置まで先細りに形成され、
（ｉｉｉ）前記第２セットの前記流路の夫々は幅が、長手方向に延設される方向に前記下流縁に隣接した位置から前記上流縁に隣接した位置まで先細りに形成され、
（ｂ）少なくとも１枚の対面シートの媒体を、前記波形のフィルタ媒体に隣接して配設する工程と、
（ｃ）前記対面シートの媒体を、少なくとも１枚の前記波形のフィルタ媒体に固定する工程と、を具備することを特徴とする方法。
【請求項２】
（ａ）固定された前記対面シートの媒体と、少なくとも１枚の前記波形のフィルタ媒体とを巻回してフィルタエレメントにする工程と、を含むことを特徴とする請求項１に記載の方法。
【請求項３】
（ａ）前記固定する工程は、前記対面シートの媒体を、少なくとも１枚の前記波形のフィルタ媒体に対して前記波形のフィルタ媒体の一方の面の上の前記下流縁に沿うように固定する工程と、
（ｂ）前記巻回する工程の途中で、前記対面シートの媒体を、少なくとも１枚の前記波形のフィルタ媒体に対して前記波形のフィルタ媒体の他方の面の上の上流縁に沿うように固定する工程と、とを含むことを特徴とする請求項２に記載の方法。
【請求項４】
（ａ）前記対面シートの媒体を、少なくとも１枚の前記波形のフィルタ媒体に対して前記波形のフィルタ媒体の一方の面の上の前記下流縁に沿うように固定する前記工程は、密封材を前記下流縁に沿うように塗布する工程を含み、
（ｂ）前記対面シートの媒体を、少なくとも１枚の前記波形のフィルタ媒体に対して前記波形のフィルタ媒体の他方の面の上の上流縁に沿うように固定する前記工程は、密封材を前記上流縁に沿うように塗布する工程と、を含むことを特徴とする請求項３に記載の方法。
【請求項５】
（ａ）固定された前記対面シートの媒体と、少なくとも１枚の前記波形のフィルタ媒体とを積み重ねてフィルタエレメントにする工程を、さらに含むことを特徴とする請求項１に記載の方法。
【請求項６】
フィルタ構成であって、
（ａ）上流縁と下流縁を有する少なくとも１枚の波形のフィルタ媒体を含むフィルタ媒体であって、
（ｉ）前記波形のフィルタ媒体は、丸められた頂部と丸めた細長いくぼみとを交互に形成され、
（Ａ）前記波形のフィルタ媒体のシートの一方の面の上で区切られた流路の第１セットであって、前記第１セットの前記流路の夫々は、前記上流縁と前記下流縁との間で前記波形のフィルタ媒体を概ね横切るように長手方向に延設され、かつその下流側で閉口され、
（Ｂ）前記波形のフィルタ媒体のシートの他方の面の上で区切られた流路の第２セットであって、前記第２セットの前記流路の夫々は、前記上流縁と前記下流縁との間で前記波形のフィルタ媒体を概ね横切るように長手方向に延設され、かつその上流側で閉口され、
（ｂ）少なくとも１枚の追加的な対面シートの媒体を、少なくとも前記波形のフィルタ媒体に隣接して配設され、
（ｉ）前記第１セットの前記流路の夫々は幅が、長手方向に延設される方向に前記上流縁に隣接した位置から前記下流縁に隣接した位置まで先細りに形成され、
（ｉｉ）前記第２セットの前記流路の夫々は幅が、長手方向に延設される方向に前記下流縁に隣接した位置から前記上流縁に隣接した位置まで先細りに形成されることを特徴とするフィルタ構成。
【請求項７】
（ａ）少なくとも１枚の前記波形のフィルタ媒体の第１シートが前記対面シートの少なくとも１枚の第２シートに固定されコイル状構成にされることを特徴とする請求項６に記載のフィルタ構成。
【請求項８】
（ａ）前記第１セットの前記流路の夫々は、前記下流縁に隣接した位置で密封材により塞がれることで、そこから未濾過の物質が流出しないようにし、
（ｂ）前記第２セットの前記流路の夫々は、前記上流縁に隣接した位置で密封材により塞がれることで、そこから未濾過の物質が流入するようにした、ことを特徴とする請求項７に記載のフィルタ構成。
【請求項９】
（ａ）前記フィルタ媒体は、２枚の平らな媒体のシートを間に配置した波形のシートによる積層体であり、
（ｉ）前記積層体の前記波形のシートの夫々は、丸められた頂部と丸めた細長いくぼみとを交互に形成され、
（Ａ）波形のフィルタ媒体のシートの一方の面の上において区切られた流路の第１セットと、
（Ｂ）波形のフィルタ媒体のシートの他方の面の上において区切られた流路の第２セットと、
（ｉｉ）前記第１セットの前記流路の丸めた細長いくぼみの夫々は幅が、隣接し丸められた頂部の間で、長手方向に延設される方向に前記上流縁に隣接した位置から前記下流縁に隣接した位置まで先細りに形成され、
（ｉｉｉ）前記第２セットの前記流路の夫々は幅が、隣接し丸められた頂部の間で、長手方向に延設される方向に前記下流縁に隣接した位置から前記上流縁に隣接した位置まで先細りに形成されることを特徴とする請求項６に記載のフィルタ構成。
【発明の詳細な説明】
【技術分野】
【０００１】
縦溝が付けられたフィルター媒体発明の背景発明の技術分野 本発明は、縦溝が付けられたフィルター媒体に関し、特にフィルターを横切る流れの制限を最小にする縦溝を有する縦溝付きのフィルター媒体に関する。
【背景技術】
【０００２】
流体中から汚染物を取り除くために、フィルター媒体を利用するひだの付いたフィルターは、一般に公知であり、多くの形状が採用されている。フィルターのもつ共通の問題は、フィルター表面領域が不十分であることである。一定のフィルター容積のためのフィルター表面領域を改良しようとする従来の試みは、完全に成功したものではない。この欠点を克服しようとする試みで、ひだが付けられたフィルター媒体を利用したひだ付きフィルターが、一般に使用されている。ひだ付きのフィルター材料は、ひだが増々接近して設けられ、それによって一定容積中に増々多くのフィルター媒体が置かれるので、フィルター領域を増大しているが、ひだが増々密に詰められ、流れを制限してしまう。この制限のために、フィルター媒体を通過させるために流速を増加させなければならず、それによってフィルターを横切る特異な圧力を増大させ、装置内に追加の問題を起こす。
【０００３】
最も透過性のあるフィルター媒体は、構造上の支えをもたないため、フィルターは、フィルター材料を支えるためのハウジングが必要である。このことは、フィルターの質量及び大きさと同様に製造コストを増加させる。
【０００４】
フィルター能力と同様に、流れの制限を改善し、増大した媒体領域を提供するために、縦溝付きフィルター形状が利用される。縦溝付きフィルターは、流れの制限を少なくし、実質的に直線的な流れをもたらすと同時に、ユニット容積当りの媒体領域を増大する能力を有している。
【０００５】
縦溝付きフィルターは、従来のフィルター構造を越えた改善された流れの特性と効率とを提供するが、縦溝付きフィルターは、もっと大きな効率と改善された流れの特性との可能性を有している。縦溝の上流端部をシールすることで、流れを実質的に阻止することができ、かつフィルター材料と結び付いたときは、流体の流れに利用可能な断面積の半分以上が、封鎖される。流れに対して横切る方向に、より大きな断面積を有するフィルター構造は、改善された流れと流れの制限特性とを提供する。
【０００６】
自立性と、改善された流れの制限と、改善された流れの特性と、より大きな効率とを提供する新しく改善されたフィルターが必要とされていることが解る。特に、縦溝付きフィルターは、標準の縦溝構造よりも少ない抵抗を与え、標準の縦溝構造よりも断面流量面積を奪っていない前縁部を有している。加えて、上流縁部でのフィルター媒体の断面積と縦溝の閉鎖端部とは、縦溝の上流縁部での開口面積よりも小さくなっている。そのように改善されたフィルター構造は、過度の追加の段階なしに、簡単に製造される。本発明は、フィルター構造と関連した他の問題と同様に、これらを提起している。
【発明の開示】
【課題を解決するための手段】
【０００７】
本発明は、縦溝付きフィルター装置、特に改善された流れ特性をもつ縦溝付きフィルター媒体に係わるものである。
【０００８】
本発明の第１の実施の形態によれば、縦溝付きフィルター媒体は、頂部と底部の層との中間に介在する縦溝のある中央シートを含んでいる。フィルター媒体は、隣接した層が、次の隣接した層の頂部又は底部とどちらかのシートとして役立つので、唯一のシートだけが縦溝シートに貼り付けられるように、巻かれたり又は積層されていることが解る。加えて、その層は、渦巻き状に巻かれている。縦溝付き材料によって形成された隣接した室の別の端部は、上流又は下流のいずれかの側が閉鎖されている。第１の実施の形態は、一端から他端へと拡がるように先細りの縦溝を有している。閉鎖された上流端部を有する縦溝の室は、開口した下流端部に向って拡がっている。逆に閉鎖された下流端部の縦溝の室は、開口した上流端部に向って拡がっている。
【０００９】
この形状によって、上流の流れに横断したフィルター媒体の領域が、流れを受け入れる室に対して大きな開口部分を含んでいることが解る。流れが様々のフィルター材料のシートを通ってろ過されると、このろ過された流体は、拡大された下流端をも通過する。この方法で、フィルターによる流れの制限が、標準の縦溝付きフィルター材料よりも実質的に減少する。
【００１０】
加えて、ビード材のパーセンテージとフィルターシートの上流縁部とが、上流の流れを受け入れる開口領域よりも実質的に少なくなっている。
【００１１】
本発明の第２の実施の形態によれば、縦溝付きフィルター媒体は、実質的に鋭い山部と拡げられた谷部とを有する非対称的な縦溝を含んでいる。谷部より上の領域は、上流の流れに対して開口している。この方法で、フィルター媒体の縁部での上流の開口部は、閉鎖された縦溝とフィルター材料の上流縁部との領域よりも大きい、流れを横断する断面積領域を有している。この形状が、より大きなフィルター効率と減少したフィルターを横切る流れの制限とをもった改善された流れを提供している。
【００１２】
本発明の第３の実施の形態によれば、縦溝付きフィルター媒体は、改善された流れを提供する。押しつぶされた上流縁部を含んでいる。第３の実施の形態によれば、フィルター媒体の前縁は、フィルターの縦溝の別の室を封鎖しているビードを含んでいる。このビードと縦溝とのシートの上流縁部が、拡げられた縁部が流れをさえぎり、下流端部へと曲がるように、曲げられている。流れが上流縁部でさえぎられるので、先行のシート前縁のみが上流の流れと接触し、ビードと縦溝とのシートが後方に曲がっている。この形状により、フィルターの前縁での上流の流れをさえぎるフィルター媒体の抵抗と比率とが減少した。それ故、増大した効率と減少したフィルターを横切る流れの制限を提供する改善された流れが達成された。
【００１３】
本発明が特徴とするこれらのかつ様々の他の新規な利点及び特徴が、ここに付加されかつその一部を形成している請求の範囲で特に示されている。しかしながら、本発明とその利点及び使用によって得られた対象物をもっと良く理解するためには、ここでの一部である図面及び本発明の好ましい実施の形態を示している添付記載事項を参照することによってなされるべきである。
【発明を実施するための最良の形態】
【００１４】
特に図１を参照すると、全体に100で示された透過性で両面縦溝付きフィルター媒体の一層の一部分が示されている。第１の実施の形態のこの縦溝付きフィルター媒体100は、多数の先細りの縦溝の室102を含んでいる。縦溝の室102は、対向するシート110間で山部104と谷部106とを交互に形成している中央の縦溝シート108によって形成されており、この対向するシート110は、第１の対向シート112と第２の対向シート114とよりなる。谷部106と山部104とは、縦溝102を上部列と下部列とに分けている。図１に示されるこの形状において、上部縦溝は、下流端部で閉鎖された縦溝の室122を形成する一方で、上流端部が閉鎖された縦溝の室120は、縦溝の室の下部列である。縦溝の室120は、中央の縦溝シート108と第２の対向シート114との間の縦溝の上流端部の断面を完全に充填している第１の端部ビード124によって閉鎖されている。同様に、第２の端部ビード126は、交互に縦溝102の下流を閉鎖している。接着タックで、縦溝102の山部104と谷部106とを、対向するシート112と114とに結合している。縦溝102と端部ビード124と126とが、ハウジングなしに構造上自分で支えることができるフィルター要素を与えている。
【００１５】
ろ過作用の間、未ろ過流体は、影を付けられた矢印で示されているように、その上流端部が開口している縦溝の室122に入る。縦溝の室122に入ると、未ろ過流体流は、下流端部の第２の端部ビード126によって締め切られる。それ故、この流体は、縦溝シート108又は対向シート110を通って前に進むように強制される。
【００１６】
未ろ過流体が、縦溝シート108又は対向シート110を通過すると、流体は、影のない矢印で示されるように、フィルター媒体の層を通ってろ過される。この流体は、閉鎖された上流端部を有する縦溝の室120を自由に通過し、開口した下流端部が流出し、フィルター媒体100から出て行く。
【００１７】
図示された形状では、未ろ過流体は、縦溝シート108か、上部対向シート112か又は下部対向シート114を通ってろ過されて、上流側で封鎖されている縦溝の室120に入る。
【００１８】
図２Ａ−２Ｂを参照すると、以下に説明するように、フィルター要素を形成するのに、積層されるか又は巻かれる縦溝付きフィルター媒体の製造手順が示されている。フィルター媒体が、隣接する層が互いに接触して積層されるか又は渦巻状に巻かれる場合は、対向シート110が、一方の縦溝付き層の頂部としてかつ別の縦溝付き層の底部として役立つので、唯一つの対向シート110のみが必要であることが解るであろう。それ故、数層が積層され又は巻かれる場合には、縦溝付きシート108は唯一つの対向シート110のみに適用される必要があることが解るであろう。
【００１９】
図２Ａに示されるように、第１のフィルター媒体シート30が、ロール間の接触面を形成する対向したクリンピングローラ44に、一連のローラから送られてくる。このローラ44は、シートがローラ44間に挟まれたときに、第１のシート30にひだをつけるための相互に噛み合う波状表面を有している。図２Ｂに示されるように、フィルター媒体32の第１の波形にされたシート30と第２の平坦なシートとが、クリンピングローラ44の１つと対向ローラ45との間で形成された第２のロール間の接触面に一緒に送られている。密封材付与装置47が、クリンピングローラ44と対向ローラ45との間の係合に先だって、第２のシート32の上部面に沿って密封材46を供給する。製造開始時に、第１のシート30と第２のシート32がローラ44と45とを通過すると、シートは離れ落ちる。しかしながら密封材46が供給されるので、密封材46は、縦溝付きシート30と対向シート32との間で第１の端部ビード38を形成する。山部26と谷部28とが、その頂点に沿って離れた間隔で供給された供給ビード42を有するか、又は縦溝の室34を形成するために、対向シート32に貼り付けられている。一縁部で縦溝付きシート30と密封した対向シート32との合成構造が、単一面層のフィルター媒体である。数層が積層され又は渦巻き状に巻かれるなら、第２のビードが縦溝付きシート30の反対の縁部に供給される。数層が積層もされず渦巻き状にも巻かれないならば、第２のビードは反対の縁部に供給され、第２の対向シートが供給される。
【００２０】
再び図１を参照すると、縦溝102は先細状であることが解る。閉鎖された上流端部を有する縦溝の室120は、図３に示されるように、谷部に沿い、拡大された下流の開口部に向けて拡げられている。同様に室122は、図３にも示されるように、拡大した上流の開口部を有し、狭くされた閉鎖端部に向けて先細状にされている。この方法で、開口している上流の流れをさえぎるフィルター媒体の部分が、実質的に増加される。加えて、流体が縦溝に沿って流れ、フィルター媒体、中央シート108又は対向シート112又は114のいずれかの壁を通過するので、流体は、フィルターの下流側で拡大された開口端部から流出する。
先細状の縦溝102を製造するには、図４に示されるように特定のローラ144が必要であることが解る。このローラ144は、その上に形成された多数の並んだ歯146を有する周面を含んでいる。先細状の歯146は、図５に更に明瞭に示されるように、第１の狭い端部から第２の拡大された端部へと先細状となっている。対向ローラ145上の補足の歯147は、第２の狭い端部から第１の拡大された端部へと先細状となっていることが解るであろう。それ故に、中央シート108の対向シートが、補足のローラ144のロール間の接触面を通って供給されると、フィルター媒体は、その長さに沿って別の方向に先細状となっている山部104と谷部106とを形成するために挟まれる。ビード124と126が、構造上自分で支えているフィルター媒体を提供していることが解るであろう。
【００２１】
図３に示されるように、その結果、フィルター媒体100は、閉鎖された上流端部を有する先細状の縦溝の室120と、開口された上流端部を有する縦溝の室122とを含んでいる。先細状の縦溝102をもつ室122は、閉鎖された上流端部を有する室122よりも、流れに対して横切るより大きな断面積を有している。縦溝の室120の流れに対して横切る断面積は、閉鎖された室122とシート108，112と114の縁部との断面積よりも大きい。この方法でフィルター媒体100は、抵抗が少なくてより大きな流れをさえぎる。縦溝の室120と122とが互いに逆に先細状となっているので、室の端部は、下流端部で大きさが逆である。この形状によって、縦溝の室120はフィルター媒体100の閉鎖された下流端部で非常に小さな断面積を有し、縦溝の室122は非常に大きな断面積を有していることが解る。それ故に、流れが室120のより大きな開口部を通って入り、縦溝の室122の拡大された下流の開口端部を通って出て行く。この形状によって、流れが、より抵抗が少なくて非常に大きな開口空間を有するフィルター材料を通過する一方で、同じ容積で十分なフィルター媒体領域を提供している。
【００２２】
図６を参照すると、200で示された第２の実施の形態のフィルター媒体が示されており、これは、本発明の原則に従って非対称の縦溝を有している。フィルター媒体200は、実質的に狭い山部204と拡大されたアーチ状の谷部206とを形成している非対称の縦溝202を含んでいる。アーチ状山部204の半径は、非対称の縦溝202のアーチ状谷部206の半径より小さい。フィルター媒体200は中央シート208と対向シート210とを含んでおり、この対向シートは第１の上部対向シート212と第２の下部対向シート214とを含んでいる。
対向シート210は、上流ビード224と下流ビード226によって結合されている。
【００２３】
この方法でシート208，212と214とは、閉鎖された上流端部を有する室220と、閉鎖された下流端部を有する室222とを形成している。
【００２４】
図６に示された形状において、流れをさえぎるフィルター媒体200の上流部分は、室222のための拡大された開口部を含んでいることが解る。この方法で、シート208，212と214を通り、室220を通って流れる増加した流れが、縦溝の室122によってさえぎられる。加えて、非対称の縦溝付きフィルター媒体200が、自分で支えるフィルター構造を提供している。
【００２５】
図７を参照すると、室222の開口端部が、上流端部でのビード224及びシート208，212と214の流れを横切る表面領域よりも大きい0この配置がフィルター入口での流れの制限を減らしており、改善された流れとダスト負荷能力を与えている。
図８を参照すると、非対称の縦溝付きフィルター媒体200は、その周面に沿って多数の歯246を含んでいる。第１のローラの歯246は、その間に形成された狭い谷部をもつ拡大された外面を有している。補足のローラは、歯246を互いに噛み合わせるために、その間に形成された拡大された谷部をもつ狭くされた山部を有している。このローラが、その間に供給されたフィルター材料を係合すると、非対称の山部と谷部とが縦溝付きフィルター材料に形成される。
【００２６】
図９を参照すると、300で示された、つぶされたフィルター媒体を有する本発明の別の実施の形態が示されている。つぶされたフィルター媒体は、つぶされた上流縁部316を有する縦溝302を含んでいる。縦溝は、縦溝付き中央シート308によって形成された山部304と谷部306とを含んでいる。対向シート310は、縦溝の室320と322を形成するために、中央シート308を挟持している。第１の対向シート312は縦溝の上面に接触する一方で、下方の対向シート314は縦溝の底部と接触している。フィルター媒体300は、上流ビード324と下流ビード326とを含んでいる。下流端部での縦溝の断面が図10に示されている。上流端部での断面は、反対にある開口と閉鎖部分とが、図示されているものとは逆である。
【００２７】
図11に示されるように、フィルター媒体300の上流側は、上流ビード324に沿うつぶされた縁部316を含んでいる。これは、ビード324と流れを受け入れる中央シート308との傾斜面328を形成している。この傾斜が抵抗を少なくする一方で、流れを多くでき、フィルター媒体を横切る流れの制限を減らしている。フィルター材料と縁部330で流れを受け入れるビードとが、流れをさえぎる開口領域よりも小さいので、効率と流れとを改善していることが解るであろう。
【００２８】
傾斜縁部は、多くの方法で形成できるが、好ましい方法が図15と16に示されている。アーチ状又は丸状の成形部材350は、図15に示されるように、ビードの密封材が傾斜面328を素早く、簡単に形成するために設けられる前に、上流ビード324を押圧する。成形道具350は、上流ビード324に沿って転がるボールか、又は媒体300上を押圧する丸状部材である。窪みが形成された後に、媒体300は、ブレード360か又は他の切断道具により上流ビード324で切断され、それによって、図16に示されるように傾斜上流縁部330を有する２つの帯板のフィルター媒体300を形成する。多数の組の拡大された交互のビード324と326とが、シート媒体300に与えられていることが解る。それから上流ビード324が図15に示されるようにつぶされる。ビード324と326の密封材が設けられると、フィルター媒体300のシートは、つぶされた上流縁部300を有するフィルター媒体300の多数のシートを形成するために、ビード324と326で切断される。
【００２９】
図14を参照すると、本発明の縦溝付きフィルター媒体400の第４の実施の形態が示されている。縦溝付きフィルター媒体400は、他の縦溝付きフィルター媒体と同様であるが、縦溝付きフィルター媒体400は、以下に説明するような修正された上流縁部とビード形状とを有している。図14に示されるように縦溝付きフィルター媒体400は、山部と谷部を有し、上流が閉鎖された縦溝420と下流が閉鎖された縦溝422とをもつ縦溝402を含んでいる。しかしながら、フィルター媒体の最上流面で密封された交互の室を有する他の縦溝付きフィルターとは違い、縦溝420は、フィルター媒体400の上流縁部から引っ込んだ縦溝の室を密封するビード424を含んでいる。縦溝422は下流端部でビード426を有している。
【００３０】
フィルター媒体400は、大きな粒子1000がフィルター媒体の上流面で貯められるので、性能上の利点をもたらしている。図14に示されるように、粒子1000が十分に大きいなら、いくつかの縦溝402は完全に封鎖される。従来のフィルター媒体では、いくつかの縦溝が封鎖されるなら、この封鎖物100は、交互の周囲の縦溝がその上流側で密封されているので、非常に強い影響を与え、封鎖された縦溝の回りで方向を変えた増大した流れを作り出す。
【００３１】
しかしながら図14に示されるように、縦溝420が、上流縁部から引っ込んだ上流側の424で密封されているので、隣接した下流が閉鎖された縦溝422の封鎖物1000は、流れが、縦溝420の上流端部に入り、密封部424の上流の縦溝シート又は他のフィルター材料を通って流れるようにしている。この方法で、流体は、縦溝422に入り、そこからフィルターの下流側で開口している縦溝420にフィルター材料を通って戻される。このことが、詰まりを減らし、圧力増加又は他にフィルター性能に不利に作用することなく、良好な流れを提供している。好ましい実施の形態では、上流の密封ビード424は、上流縁部から約１／４〜１インチ（６mm〜25mm）ほど引っ込んでいる。この方法で縦溝付き材料が依然として自己で支えている一方で、フィルター媒体400の上流面での詰まりの影響を減らしている。
【００３２】
図12に示されるように、空気流の圧力降下が、Ｂサイズの縦溝を有する先細状フィルター媒体100対Ｂサイズの標準の縦溝を有するフィルター媒体とで比較されている。両者の例で、フィルターを通る圧力降下が、標準の縦溝のフィルター形状に比べて減っている一方で、同じフィルター容積及びわずかな縦溝の大きさとを有していることが解る。
【００３３】
加えて、図13に示されるように、フィルター媒体がダストで負荷がかけられると、標準Ｂの縦溝が、先細状のフィルター媒体100のＢ縦溝よりも、非常に高い圧力降下を有していることが解る。加えて、つぶされた前縁をもつフィルター媒体300のサイズＡの縦溝は、標準のＡ縦溝よりも重要なことに低い初期の圧力降下を有している。
本発明において、フィルター媒体が、流れをさまたげる、流れを横切る実質的に大きな開口領域を有していることが解る。これが、流れの制限を減らし、増加した効率を提供している。
【００３４】
本発明の数多くの特徴と利点とが、発明の構成と作用との詳細な先の説明でなされたが、この開示は、例示されたものだけでなく、本発明の原則内で特に形状、大きさ及び部品の配置に関して、請求の範囲に記載された用語の広義の一般的な意味で示される範囲にまで、細部においての変更が可能であることが解るであろう。
【図面の簡単な説明】
【００３５】
【図１】本発明の原則に従った第１の実施の形態である、先細りの縦溝を有する両面縦溝付きフィルター媒体の斜視図である。
【図２Ａ】、
【図２Ｂ】図１に示されたフィルター媒体の製造手順を示す図である。
【図３】図１に示されるフィルター媒体の正面図である。
【図４】図１に示されるフィルター媒体を形成するローラの正面図である。
【図５】図４に示されるローラの歯の詳細な図である。
【図６】本発明の原則に従った第２の実施の形態である非対称の縦溝を有するフィルター媒体の斜視図である。
【図７】図６に示されるフィルター媒体の正面図である。
【図８】図６に示されるフィルター媒体を形成するローラの正面図である。
【図９】本発明の原則に従った第３の実施の形態である、つぶされた縦溝前縁を有するフィルター媒体の斜視図である。
【図１０】図９に示されるフィルター媒体の正面図である。
【図１１】図９に示されるフィルター媒体の前縁の側部断面図である。
【図１２】様々の縦溝付きフィルター媒体の構造における、フィルターを横切る流れの圧力降下対フィルターを通る空気流量のグラフである。
【図１３】様々の縦溝付きフィルター媒体の構造における、圧力降下対ダスト負荷のグラフである。
【図１４】本発明の原則に従った第４の実施の形態である、フィルター媒体の上流縁部から引っ込んだ密封部分をもつ上流が密封された縦溝を有するフィルター媒体の断面図である。
【図１５】図９〜図11に示されるフィルター媒体の前縁を形成する方法の側部正面図である。
【図１６】図15に示される方法を利用している帯板に食い込むフィルター媒体のシートの側部正面図である。
【図１】
2008302360.tif 000003
【図２Ａ】
2008302360.tif 000004
【図２Ｂ】
2008302360.tif 000005
【図３】
2008302360.tif 000006
【図４】
2008302360.tif 000007
【図５】
2008302360.tif 000008
【図６】
2008302360.tif 000009
【図７】
2008302360.tif 000010
【図８】
2008302360.tif 000011
【図９】
2008302360.tif 000012
【図１０】
2008302360.tif 000013
【図１１】
2008302360.tif 000014
【図１２】
2008302360.tif 000015
【図１３】
2008302360.tif 000016
【図１４】
2008302360.tif 000017
【図１５】
2008302360.tif 000018
【図１６】
2008302360.tif 000019
【外国語明細書】
2008302360.tif 000020
2008302360.tif 000021
2008302360.tif 000022
2008302360.tif 000023
2008302360.tif 000024
2008302360.tif 000025
2008302360.tif 000026
2008302360.tif 000027
2008302360.tif 000028
2008302360.tif 000029
2008302360.tif 000030
2008302360.tif 000031
2008302360.tif 000032
2008302360.tif 000033
2008302360.tif 000034
2008302360.tif 000035
2008302360.tif 000036
2008302360.tif 000037
2008302360.tif 000038
2008302360.tif 000039
2008302360.tif 000040
2008302360.tif 000041
2008302360.tif 000042
2008302360.tif 000043
2008302360.tif 000044
2008302360.tif 000045
2008302360.tif 000046
2008302360.tif 000047
2008302360.tif 000048
2008302360.tif 000049
2008302360.tif 000050